(57)【要約】【課題】種々異なるデータを含むショートメッセージを、唯一の伝送フレームにおいて伝送できるようにする。【解決手段】少なくとも２つのデータフィールドが設けられ、これらのデータフィールドにショートメッセージのデータが格納されており、第１のデータフィールドの中に第１のデータフォーマットのデータが格納されており、第２のデータフィールドの中に第１のデータフォーマットとは異なる第２のデータフォーマットが格納されている。【選択図】図１
2007274739.tif 000002
【特許請求の範囲】
【請求項１】
例えば無線通信ネットワークなどの通信ネットワーク（１０）におけるショートメッセージ（５）の伝送用伝送フレームにおいて、
少なくとも２つのデータフィールド（１５，２０，２５，３０）が設けられており、
これらのデータフィールド（１５，２０，２５，３０）には１つのショートメッセージ（５）のデータが格納されており、
第１のデータフィールド（１５）には第１のデータフォーマットのデータが格納されており、第２のデータフィールド（２０）には該第１のデータフォーマットとは異なる第２のデータフォーマットが格納されていることを特徴とする、伝送フレーム。
【請求項２】
前記第１のデータフィールド（１５）内に、ショートメッセージ（５）の構成を表す第１の識別子（３５）が設けられている、請求項１記載の伝送フレーム（１）。
【請求項３】
前記第１の識別子（３５）がデータフィールド（１５，２０，２５，３０）の数及び／又はデータフィールド（１５，２０，２５，３０）におけるデータフォーマット及び／又はデータフィールド（１５，２０，２５，３０）の大きさに関する記載を含む、請求項２記載の伝送フレーム（１）。
【請求項４】
前記第１のデータフィールド（１５）に、ショートメッセージ（５）の内容を表す第２の識別子（４０）が設けられている、請求項１〜３のいずれか１項記載の伝送フレーム。
【請求項５】
前記第２の識別子（４０）が、データフィールド（１５，２０，２５，３０）に格納されたデータの、例えば音声データ又は画像データのようなデータ形式に関する記載を含む、請求項４記載の伝送フレーム（１）。
【請求項６】
前記第１のデータフィールド（１５）のみがその大きさに関して所定の値に制限されていることを特徴とする、請求項１〜５のいずれか１項記載の伝送フレーム（１）。
【請求項７】
少なくとも２つのデータフィールド（１５，２０，２５，３０）に、それぞれ１つのデータフィールド特有の識別子（４５，５０，５５，７５）が設けられており、該識別子は相応するデータフィールド（１５，２０，２５，３０）の構成及び／又は内容を表すことを特徴とする、請求項１〜６のいずれか１項記載の伝送フレーム（１）。
【請求項８】
前記第１のデータフィールド（１５）に格納されたデータが、通信ネットワーク（１０）の全ての加入者によって読み取り可能なデータフォーマットで存在することを特徴とする、請求項１〜７のいずれか１項記載の伝送フレーム（１）。
【請求項９】
前記第１のデータフィールド（１５）に格納されたデータが、例えばＧＳＭ−ＳＭＳ−フォーマット（Global System for Mobile Communications - Short Message Service）によるテキストフォーマットの中に存在することを特徴とする、請求項１〜８のいずれか１項記載の伝送フレーム（１）。
【請求項１０】
前記データフィールド（１５，２０，２５，３０）のうちの１つに、複数のデータフォーマットのデータが格納されていることを特徴とする、請求項１〜９のいずれか１項記載の伝送フレーム（１）。
【請求項１１】
各データフィールド（１５，２０，２５，３０）において、唯一のデータフォーマットのデータのみが格納されていることを特徴とする、請求項１〜１０のいずれか１項記載の伝送フレーム（１）。
【請求項１２】
例えば無線通信ネットワークのような通信ネットワーク（１０）におけるショートメッセージ（５）の伝送のための伝送フレーム（１）を有する、例えば無線ユニットなどの通信装置（６０，６５，７０）において、
該伝送フレーム（１）に少なくとも２つのデータフィールド（１５，２０，２５，３０）が設けられており、
該データフィールド（１５，２０，２５，３０）にはショートメッセージ（５）のデータが格納されており、
第１のデータフィールド（１５）には第１のデータフォーマットのデータが格納されており、第２のデータフィールド（２０）には第１のデータフォーマットとは異なる第２のデータフォーマットのデータが格納されていることを特徴とする、通信装置。
【発明の詳細な説明】
【技術分野】
【０００１】
本発明は、独立請求項の上位概念に記載の伝送フレームと、伝送フレームを有する通信装置に関する。
【背景技術】
【０００２】
ショートメッセージを伝送するためのショートメッセージサービスが公知である。ショートメッセージサービスとは、通信ネットワークの加入者に、予めこのネットワークと通信コネクションを確立する必要なくショートメッセージを送信するものである。これは特に移動無線システムにおいて重要であり、その理由は、このシステムにおいては加入者は頻繁に接続不能になるためである。この場合、到来したショートメッセージは通信ネットワークのネットワークプロバイダによって記憶され、それより後の時点にアドレス指定された加入者宛に伝達される。加入者は自分宛のショートメッセージの着信を知らされるので、そのショートメッセージをネットワークプロバイダからダウンロードできる。
【０００３】
ショートメッセージサービスの一例として、ＧＳＭ標準（Global System for Mobile Communications）によるショートメッセージサービス（ＳＭＳ）がある。このショートメッセージサービスは、１６０個までの７ビットＡＳＣＩＩテキスト記号（American Standard Code for Information Interchange）を用いたショートメッセージを伝送するための伝送フレームを予め定めている。
【０００４】
より長いテキストの伝送は、ショートメッセージをつなぎ合わせることで可能となる。このショートメッセージサービスにより、簡単な移動無線端末機器によってもショートメッセージの作成と読み取りが可能となる。このＧＳＭ標準においてはショートメッセージのテキスト伝送しか行われないので、音声データや画像データ等のバイナリデータの伝送においては、これらのデータをテキストフォーマットに変換し、その受信後に再度バイナリフォーマットに変換し直さなくてはならない。
【発明の開示】
【発明が解決しようとする課題】
【０００５】
したがって本発明の課題は、種々異なるデータを含むショートメッセージを、唯一の伝送フレームにおいて伝送できるようにすることである。
【課題を解決するための手段】
【０００６】
この課題は、独立請求項の構成を有する本発明の伝送フレームおよび本発明の通信装置として、少なくとも２つのデータフィールドが設けられ、これらのデータフィールドにショートメッセージのデータが格納されており、第１のデータフィールドの中に第１のデータフォーマットのデータが格納されており、第２のデータフィールドの中に第１のデータフォーマットとは異なる第２のデータフォーマットが格納されていることにより解決される。これにより、種々異なるデータを含むショートメッセージを、唯一の伝送フレームにおいて伝送できる。このようにして、例えばテキストデータ、音声データ、画像データ等の種々異なる媒体を簡単に一つのショートメッセージに統合することができるため、マルチメディア・ショートメッセージを形成することができる。
【発明を実施するための最良の形態】
【０００７】
また有利には、伝送フレームの長さが制限されておらず、任意のデータフィールドをデータフレーム内に並べて伝送できる。
【０００８】
さらに有利には、これらのデータフィールドを互いに並べることにより、テキストデータ、音声データ又は画像データを有する個々のデータフィールド又は媒体のデータを簡単に分離してダウンロードすることが可能になる。これにより、ショートメッセ−ジの実際に必要な部分だけを通信ネットワークのネットワークプロバイダからダウンロードすればよいので、伝送容量の節減が可能となる。
【０００９】
従属請求項に記載の構成により、独立請求項１に記載の伝送フレームのその他の有利な構成及び改良が可能である。
【００１０】
特に有利なのは、第１のデータフィールドにショートメッセージの構成及び／又は内容を表す第１の識別子を設けるという点である。これにより、ショートメッセージの宛先として指定された加入者は、通信ネットワークのネットワークプロバイダからアドレス指定された加入者に向けた第１のデータフィールドのみの伝送により、特に容易にショートメッセージの構成及び／又は内容について知ることができる。その後この情報に基づき、アドレス指定された加入者の側で、このショートメッセージのどの部分又はデータフィールドを通信ネットワークのネットワークプロバイダからダウンロードしたいかを決定することができる。
【００１１】
また有利には、第１のデータフィールドの大きさが所定値に制限されている。そのため、ショートメッセージの受信容量が制限されている加入者も、ショートメッセージ全体の構成及び／又は内容について第１のデータフィールドの伝送により知ることができる。
【００１２】
さらに有利には、ショートメッセージの全長は制限されていない。
【００１３】
また有利には、少なくとも２つのデータフィールドにおいてそれぞれデータフィールド特有の、相応するデータフィールドの構成及び／又は内容を表す識別子が設けられている。このようにすれば、ショートメッセージ全体の構成及び／又は内容の通知もまた、全てのデータフィールド特有の識別子をまとめることにより生成され、アドレス指定された加入者に送信することが可能となるため、この第１のデータフィールドは、特にその大きさが制限される場合、識別子データで過剰に満たされることがない。
【００１４】
このデータフィールド特有の識別子により、アドレス指定された加入者はそれに属するデータフィールドのダウンロードの際、ネットワークプロバイダからさらに詳しくこのデータフィールドに関する情報を得ることができるため、例えばこのデータフィールドを用いて伝送されたデータを再生する際、より高い再生可能性が得られる。
【００１５】
特に有利には、この第１のデータフィールドに格納されたデータは、通信ネットワークの全ての加入者によって読み取り可能なデータフォーマットの中に存在する。このようにして、ショートメッセージは少なくとも部分的に通信ネットワークの全ての加入者に送信可能である。また全ての加入者は、たとえ自分宛のショートメッセージの所定のデータフィールドを読むことができなくても、ネットワークプロバイダのもとにある自分宛のショートメッセージについて少なくとも知ることができる。
【実施例】
【００１６】
本発明の実施例を図面に記載し、以下詳細に説明する。図１は通信ネットワークにおけるショートメッセージの伝送のためのブロック回路図を示し、図２は伝送フレームの一般的構成を示し、図３は伝送フレームの構成の具体例を示す。
【００１７】
図１において、６０は通信ネットワーク１０の第１の加入者を、６５は第２の加入者を示す。この通信ネットワーク１０は、特に無線通信ネットワーク、例えば移動無線ネットワークとして構成されている。この第１の加入者６０と第２の加入者６５は、それぞれ通信機器として、特に、例えば移動無線装置、業務用無線装置、携帯無線装置等として構成されている。また図１においては、通信ネットワーク１０のネットワークプロバイダ７０が記載されており、これも同様に通信機器、特にとして構成することができる。
【００１８】
第２の加入者６５の側では、第１の加入者６０に対するショートメッセージ５を作成し、相応のアドレス指定により通信ネットワーク１０を介してネットワークプロバイダ７０に送信する。ネットワークプロバイダ７０はこのショートメッセージ５を記憶し、第１の加入者６０へ、この加入者宛のショートメッセージ５の存在を知らせるメッセージを送信する。このメッセージは第１の加入者６０に、例えばネットワークプロバイダ７０が第１の加入者６０の起動を検出した時に送信することができる。第１の加入者６０が上記のメッセージの受信後、ショートメッセージ５の伝送をネットワークプロバイダ７０に要求すると、ネットワークプロバイダ７０はまず最初に第１の加入者６０に、ショートメッセージ５の構成及び／又は内容を知らせる通知を送信する。第１の加入者６０は、その後このショートメッセージ５を一部又は全てネットワークプロバイダ７０からダウンロードするので、このショートメッセージ５は、一部又は全てネットワークプロバイダ７０から第１の加入者６０に伝送される。
【００１９】
図２に、このようなショートメッセージ５の構成を図示する。ここでショートメッセージ５は、伝送フレーム１において第２の加入者６５からネットワークプロバイダ７０に伝送される。この伝送フレーム１には、第１のデータフィールド１５、第２のデータフィールド２０、場合によっては第３のデータフィールド２５と第４のデータフィールド３０が含まれる。第１のデータフィールド１５には、ショートメッセージ５の構成を表す第１の識別子３５が含まれる。さらに第１のデータフィールド１５には、ショートメッセージ５の内容を表す第２の識別子４０が設けられている。これらの第１の識別子３５と第２の識別子４０を、ショートメッセージ５の構成及び／又は内容を表す唯一の識別子にまとめることもできる。さらに第１のデータフィールド１５には、第１のデータフォーマットのデータが格納されている。第２のデータフィールド２０には、第１のデータフォーマットとは異なる第２のデータフォーマットのデータが格納されている。必要に応じて設けられるその他のデータフィールド２５，３０にも同様にデータが格納されており、そのデータフォーマットは第１のデータフィールド１５又は第２のデータフィールド２０のデータフォーマットと異なったものとすることもできるが、必ずしもそうする必要はない。２つよりも多くのデータフィールドが伝送フレーム１内に設けられていれば、それらのデータフィールドのうち少なくとも２つのデータフィールドの中にそれぞれ異なるフォーマットのデータが格納されており、伝送フレーム１の中のこれらのデータフィールドの位置は問題にならない。
【００２０】
図２の点線で示しているのは、第１のデータフィールド１５が付加的に第１のデータフィールド１５の構成及び／又は内容を表す第１のデータフィールド特有の識別子４５を含むことができるということである。これに相応して、第２のデータフィールド２０は第２のデータフィールド２０の構成及び／又は内容を表す第２のデータフィールド特有の識別子５０を含むことができる。相応して、第３のデータフィールド２５は第３のデータフィールド２５の構成及び／又は内容を表す第３のデータフィールド特有の識別子５５を含むことができ、第４のデータフィールド３０は第４のデータフィールド３０の構成及び／又は内容を表す第４のデータフィールド特有の識別子７５を含むことができる。
【００２１】
第１の識別子３５は、ショートメッセージ５の中のデータフィールド１５，２０，２５，３０の数に関する記載を含むことができる。付加的又は選択的に第１の識別子３５は、データフィールド１５，２０，２５，３０の中に格納されたデータのデータフォーマットに関する記載を含むことができる。付加的又は選択的に、データフィールド１５，２０，２５，３０の大きさに関する記載も第１の識別子３５の中に含めることができる。また第２の識別子４０は、データフィールド１５，２０，２５，３０の中に格納されたデータのデータ形式に関する記載を含むことができる。従って第２の識別子４０は、例えば一つのデータフィールドの中に音声データが格納されているのか、又は画像データが格納されているかということに関する記載を含むことができる。
【００２２】
ネットワークプロバイダ７０が第１の加入者６０の要求を受けて、第１の識別子３５と第２の識別子４０を有する第１のデータフィールド１５を第１の加入者６０に伝達するように構成することができるため、第１の加入者６０は、第１の識別子３５と第２の識別子４０において伝送されるショートメッセージ５の構成及び／又は内容に関する情報に基づいて、ショートメッセージ５のどのデータフィールドを第１の加入者の機能に基づきネットワークプロバイダ７０からダウンロード及び／又は再生できるか、調べることができる。また第１の加入者６０の側では、ショートメッセージ５の読み取り可能な全てのデータフィールドに関心があるわけではなく、伝送容量を節減すべき時は、ショートメッセージ５のどの読み取り可能なデータフィールドをネットワークプロバイダ７０からダウンロードすべきかという決定を下すことができる。第１の加入者６０の要求に従って第１の識別子３５と第２の識別子４０を有する第１のデータフィールド１５全体が第１の加入者６０に伝送されるべき時は、第１のデータフィールド１５に格納されたデータが、通信ネットワーク１０の全ての加入者によって読み取り可能なデータフォーマットで存在することが、できる限り保証されていなくてはならない。このことは特に、第１のデータフィールド１５に格納されているデータが、第１の識別子３５と第２の識別子４０におけるデータと共にテキストフォーマットで存在する時に得られる。その際、例えばＧＳＭ標準（Global System for Mobile Communication）によるＳＭＳフォーマット（Short-Message-Service）が提供されるが、これは、ＧＳＭシステムの要求に従い構成された通信ネットワークにおいて、ＧＳＭ標準に従って構成されたこの通信ネットワークの加入者もしくは移動無線装置により読み取り可能なためである。その際第１のデータフィールド１５は、ＳＭＳショートメッセージサービスのためにＧＳＭ標準に従ってこれまで既に規定されたデータフィールドに相当し、その大きさは１６０個の７ビットＡＳＣＩＩテキスト記号（American Standard Code for Information Interchange）に制限されている。その他のデータフィールド２０，２５，３０の大きさは制限する必要はない。
【００２３】
テキストフォーマットの代案として、同様に通信ネットワーク１０のあらゆる加入者によって読み取り可能な第１のデータフィールド１５用のその他のデータフォーマットは、既知のデータフォーマットを含み通信ネットワーク１０のあらゆる加入者に既知であるような表のエントリに対する参照により二進符号化されたものである。
【００２４】
第１のデータフィールド１５に格納されるデータの少なくとも一部、たとえば第１の識別子３５のデータ及び／又は第２の識別子４０のデータは、表のエントリの指標を表す二進符号値からなる。これらの表においては、公知のデータ形式及び／又は、例えば音声及び／又はビデオフォーマットの様なデータフォーマットがこれらの指標に割り当てられる。
【００２５】
データフィールド特有の識別子４５，５０，５５，７５もまた、それぞれ属しているデータフィールド１５，２０，２５，３０におけるデータフォーマット及び／又はそれぞれ属しているデータフィールド１５，２０，２５，３０の大きさ及び／又はそれぞれ属しているデータフィールド１５，２０，２５，３０におけるデータ形式に関するデータを含んでいる。もし第１のデータフィールド１５にＧＳＭ−ＳＭＳ−テキストフォーマットによるデータが存在し、このデータフィールドが例えば１６０個の７ビットＡＳＣＩＩテキスト記号に制限されていると決められていれば、第１のデータフィールド特有の識別子４５を無くすことも可能である。各データフィールド１５，２０，２５，３０に、唯一のデータフォーマットのデータのみが格納されているように構成することも可能である。少なくとも１つのデータフィールド、特に第２のデータフィールド２０及び／又は場合によっては１つ又は複数のその他のデータフィールド２５，３０に、複数のデータフォーマットのデータを格納するように構成することもまた可能である。もちろん、ショートメッセージ５が図２に図示された４個のデータフィールドよりも多くのデータフィールドを含むように構成することも可能である。
【００２６】
第１の加入者６０の要求に応じこの加入者に向けた、ショートメッセージ５の構成及び／または内容に関するネットワークプロバイダ７０による通知は、ネットワークプロバイダ７０がデータフィールド特有の識別子４５，５０，５５，７５の評価により作成し、その後第１の加入者６０に送信するように構成することもできるので、この場合第１の識別子３５と第２の識別子４０は必要ではなく、第１のデータフィールド１５もまた第１の加入者６０に送信される必要はない。しかしこのようにして生成されたショートメッセージ５の構成及び／または内容に関する通知は、同様に通信ネットワーク１０の全ての加入者によって読み取り可能なデータフォーマットにおいて第１の加入者６０に送信することが可能であり、そのために例えば再度ＧＳＭ−ＳＭＳ−テキストフォーマットを、例えば１６０個の７ビットＡＳＣＩＩテキスト記号を有するデータフィールドを使用して設けることができる。
【００２７】
次に図３に基づき、ショートメッセージ５の伝送フレーム１の具体例を記載する。ショートメッセージ５は、ここではマルチメディア・ショートメッセージとして構成されている。図３の参照符号は、図２のものと同様の構成要素を示している。この図３においては、伝送フレーム１内に第１のデータフィールド１５、第２のデータフィールド２０及び第３のデータフィールド２５が設けられている。各データフィールド１５，２０，２５におけるデータフィールド特有の識別子は設けられていない。第１のデータフィールド１５は、ここではＡＳＣＩＩテキストフォーマットにおけるテキストデータを含み、第２のデータフィールド２０は例えばＷＡＶフォーマット（Wave）による音声データを含み、第３のデータフィールド２５は、例えばＧＩＦフォーマット（Graphic Interchange Format）による画像データを含んでいる。このテキストデータを有する第１のデータフィールド１５は、ＧＳＭ−ＳＭＳ−ショートメッセージサービスに応じてテキストフォーマット化される。図３における第１の識別子３５と第２の識別子４０との間の点線は、第１の識別子３５と第２の識別子４０を１つの共通識別子にまとめることが可能であることを示している。このような共通識別子３５，４０は、データフィールド１５，２０，２５の数を示し、第２のデータフィールド２０と第３のデータフィールド２５の内容及び大きさを示している。従ってこの共通識別子３５，４０は、以下の様になる。
【００２８】
「Multipart/2/Audio/7654/Image/12345」
この共通の識別子３５，４０は、キーワード「Multipart」による複数のデータフィールドよりなるショートメッセージがあることを示している。数字「2」は、テキストデータと１６０個の７ビットＡＳＣＩＩテキスト記号の長さとを有する常に存在する第１のデータフィールド１５のほかに、２つのその他のデータフィールド２０，２５がショートメッセージ５の伝送フレーム１の中に存在することを示している。この共通識別子３５，４０における第１のデータ形式として、ここでは「Audio」とされているので、この共通識別子３５，４０からは、第２のデータフィールド２５に格納されているデータが音声データであることが分かる。第２のデータ形式としては、共通識別子３５，４０におけるデータ形式を「Image」としたので、この共通識別子３５，４０からは、この第３のデータフィールド２５に格納されているデータが画像データであることが分かる。このデータ形式に続き、共通識別子３５，４０においてはそれぞれ属しているデータフィールド２０，２５の大きさが示されているので、この共通識別子３５，４０からは第２のデータフィールド２０において伝送された、７６５４バイトの音声データを有する音声ファイルと、第３のデータフィールド２５において伝送された、１２３４５バイトの画像データを有する画像ファイルの長さが分かる。共通識別子３５，４０において、第１のデータフィールド１５のための記載は何も必要ない。それというのも、この記載した例においては常に、ＧＳＭ−ＳＭＳ−テキストフォーマットと互換性があり、その数が１６０個の７ビットＡＳＣＩＩテキスト記号に制限されているテキストデータが問題になっているからである。付加的に、共通識別子３５，４０が第２のデータフィールド２０と第３のデータフィールド２５におけるデータ用のデータフォーマットも記載するように構成することもできる。第２のデータフィールド２０における音声データのために、共通識別子３５，４０においてデータフォーマットとしてＷＡＶフォーマットを記載することも可能である。第３のデータフィールド２５における画像データのために、共通識別子３５，４０においてデータフォーマットとしてＧＩＦフォーマットを記載することもできる。上記の共通識別子３５，４０の「Audio」と「Image」という記載が、同時に相応するデータフィールド２０，２５に格納されたデータのフォーマットも記述するように構成することもまた可能である。その際例えば、音声データが常に所定のフォーマット、例えばＷＡＶフォーマットにおいて、また画像データも同様に常に所定のフォーマット、例えばＧＩＦフォーマットにおいて、伝送フレーム１の相応するデータフィールドに存在することが前提となっている。
【００２９】
上記のように、通信ネットワーク１０の全ての加入者に既知の表に関するデータ形式及び／又はデータフォーマットを、例えば二進符号を用いて符号化することも可能である。データ形式用の第１の表において、例えばデータ形式「テキストデータ」は数字の「1」に、データ形式「音声データ」は数字の「2」に、データ形式「画像データ」は数字の「3」に、データ形式「ビデオデータ」は数字の「4」に割り当てられており、これらの数字は相応して二進符号化することができる。データ形式「音声データ」のデータフォーマット用の第２の表において、例えばデータフォーマット「WAV」は数字の「1」に、データフォーマット「G.723」は数字の「2」に、データフォーマット「G.728」は数字の「3」に、データフォーマット「MPEG-Audio」（Motion Picture Expert Group）は数字の「4」に、データフォーマット「AMR」（Adaptive Multi Rate）は数字の「5」に属しており、これらの数字はここでもまた相応して二進符号化できる。データ形式「画像データ」のデータフォーマット用の第３の表において、例えばデータフォーマット「GIF」は数字の「1」に、データフォーマット「JPEG」（Joint Picture Expert Group）は数字の「2」に、データフォーマット「BMP」（Bitmap）数字の「3」に属しており、これらの数字もまた相応して二進符号化できる。
【００３０】
この共通識別子３５，４０は、以下の様な形態になる。
【００３１】
2/2/1/3/1
この共通識別子３５，４０は、上記のテキストフォーマットにおいて記載したことと同様の事項を示している。ここでは共通識別子３５，４０の第１の数字「2」は、第１のデータフィールド１５に付随して存在する、ショートメッセージ５の伝送フレーム１におけるデータフィールドの数を示す。共通識別子３５，４０の第２の数字「2」は、データ形式用の第１の表の中でデータ形式「音声データ」を示し、従って、第２のデータフィールド２０には音声データが格納されていることを示している。共通識別子３５，４０の第３の数字「1」は、データ形式「音声データ」のデータフォーマット用の第２の表の中で「WAV」データフォーマットを示し、第２のデータフィールド２０に格納されたデータが「WAV」データフォーマットの中にあることを示している。共通識別子３５，４０の第４の数字「3」は、データ形式用の第１の表の中でデータ形式「画像データ」を示し、従って、第３のデータフィールド２５に画像データが格納されていることを示している。共通識別子３５，４０の第５の数字「1」は、データ形式「画像データ」のデータフォーマット用の第３の表の中で「GIF」データフォーマットを示し、第３のデータフィールド２５に格納されたデータが「GIF」データフォーマットの中にあることを示している。
【００３２】
第１の加入者６０に伝達された共通識別子３５，４０に基づき、加入者の側で、ネットワークプロバイダ７０からの第２のデータフィールド２０及び／又は第３のデータフィールド２５のダウンロードが有意義であるか、又はこれを希望するかどうかを決定することができる。第１の加入者６０が聞くことができない状態にある場合、即ち音声データの処理や再生が不可能である場合は、第２のデータフィールド２０からなる音声データのネットワークプロバイダ７０からのダウンロードは無意味である。第１の加入者６０が見ることができない状態にある場合、即ち第１の加入者６０の側で画像データの処理や再生が不可能である場合は、第３のデータフィールド２５からなる画像データのネットワークプロバイダ７０からのダウンロードは、同様に無意味である。
【００３３】
ネットワークプロバイダ７０によってダウンロードされたショートメッセージ５の伝送フレーム１のデータフィールドを選択するために、共通識別子３５，４０を第１の加入者６０の表示装置に表示するように構成することも可能である。
【００３４】
ショートメッセージ５は、ちょうど２つのデータフィールド１５，２０からなる伝送フレーム１も含むことができるが、上述のように、第１のデータフィールドには共通識別子３５，４０を有するテキストデータが存在し、第２のデータフィールド２０には複数のデータ形式又は媒体がまとめられている。しかし、ショートメッセージ５において伝送されるべきＮ個のデータ形式又は媒体を、ショートメッセージ５の伝送フレーム１におけるＮ個若しくはＮ＋１個のデータフィールドに分割するよう構成することもまた可能である。第１の加入者は、ショートメッセージ５の全てのデータフィールドを、個々に又は共にネットワークプロバイダ７０からダウンロードすることができる。
【００３５】
第１の加入者６０の側では、既に、伝送された共通識別子３５，４０の評価を行うこともできるので、第１の加入者６０の表示装置において、ショートメッセージ５のどのデータフィールドが、第１の加入者６０の機能に基づきネットワークプロバイダ７０からダウンロードできるのか表示される。
【００３６】
第２の加入者６５は、上記の伝送フレーム１においてショートメッセージ５を生成する。第２の加入者６５側の伝送フレームの生成は、ここでは単純に各データフィールド１５，２０，２５，３０をつなぎ合わせて、場合によってはデータフィールドに特有の識別子４５，５０，５５，７５のうちの各１個を追加して行うことができる。またネットワークプロバイダ７０は、記述された伝送フレーム１におけるショートメッセージ５を受信して記憶する。第１の加入者６０が相応する機能を有していれば、この伝送フレーム１を完全にネットワークプロバイダ７０からダウンロードし、第１の加入者６０に伝送するように構成することもできる。この場合、第１の加入者６０は記述された伝送フレーム１におけるショートメッセージ５を受信し、これを場合によっては保存する及び／又は視覚的及び／又は聴覚的に再生する。第１の加入者６０は、伝送フレーム１の少なくともいくつかのデータフィールドを受信し、これを場合によっては保存する及び／又は視覚的及び／又は聴覚的に再生する。ネットワークプロバイダ７０及び第１の加入者６０の側で受信されたデータフィールド１５，２０，２５，３０の評価は、例えばデータフィールドに特有の識別子４５，５０，５５，７５に基づいて行うことができるが、これはこれらの識別子がそれらに属するデータフィールド１５，２０，２５，３０とともに伝送されるか、又は、場合によって伝送される第１の識別子３５及び／又は第２の識別子４０に基づいて伝送される場合である。
【００３７】
本発明の伝送フレーム１は、無線通信ネットワークにおける使用に限定されるものではなく、有線の通信ネットワーク１０に適用することも可能である。この場合は、加入者６０，６５とネットワークプロバイダ７０もまた有線で結ばれる。両加入者６０，６５のうち一方を、有線の通信ネットワークを介して、両加入者６０，６５のうちの他方を無線通信ネットワーク１０を介してネットワークプロバイダ７０と接続するよう構成することも可能であるため、伝送フレーム１は有線通信ネットワーク１０におけるショートメッセージ５の伝送にも、無線通信ネットワーク１０におけるショートメッセージ５の伝送にも適している。
【図面の簡単な説明】
【００３８】
【図１】通信ネットワークにおけるショートメッセージの伝送のためのブロック図である。
【図２】伝送フレームの一般的構成を示す図である。
【図３】伝送フレームの構成の具体例を示す図である。
【符号の説明】
【００３９】
１０  通信ネットワーク、  １５  第１のデータフィールド、  ２０  第２のデータフィールド、  ２５  第３のデータフィールド、  ３０  第４のデータフィールド、  ３５  第１の識別子、  ４０  第２の識別子、  ４５  第１のデータフィールド特有の識別子、  ５０  第２のデータフィールド特有の識別子、  ５５  第３のデータフィールド特有の識別子、  ６０  第１の加入者、  ６５  第２の加入者、  ７０  ネットワークプロバイダ、  ７５  第４のデータフィールド特有の識別子
【図１】
2007274739.tif 000003
【図２】
2007274739.tif 000004
【図３】
2007274739.tif 000005